(57)【要約】  液体が流入する低圧停止フィルタ部（５）、低圧停止フィルタ部（５）から流入した液体を減圧させつつ流通させる減圧流路（８）、および減圧流路（８）の開度を変更するダイヤフラム部（１０）を有する点滴灌漑用ドリッパ（１）を、灌漑用液体が流れる流通管（３）の内壁面に配置する。低圧停止フィルタ部（５）は、疎水性の表面を有し、液圧が設定値よりも低いときの灌漑用液体の流入を防止する。ダイヤフラム部（１０）は、灌漑用液体の液圧に応じて減圧流路（８）の開度を変更する。点滴灌漑用ドリッパ（１）は、一体成形により安価に製造することができ、点滴灌漑用ドリッパ（１）を有する点滴灌漑装置は、上記液圧が低いときも、灌漑用液体を安定して吐出する。
2013175802.tif 000002
【特許請求の範囲】
【請求項１】
灌漑用液体を流通させる長尺な流通管の内周面上であって前記流通管の管壁を貫通する前記灌漑用液体の吐出口に対応する位置に配置された状態で、前記流通管内の前記灌漑用液体を前記吐出口まで流通させる流路を含み、前記吐出口からの前記灌漑用液体の吐出量を制御するための点滴灌漑用ドリッパであって、
前記流通管内の前記灌漑用液体を前記流路内に流入させる流入部と、
前記流路における前記流入部よりも下流側に配置され、前記流入部から流入した前記灌漑用液体を前記吐出口側に向けて減圧させつつ流通させる減圧流路を構成するための減圧流路部と、
前記流通管の内周面に接合される第１の平面部と、
前記第１の平面部よりも前記流通管の中心軸側に配置される第２の平面部と、を有し、
前記流入部は、前記第２の平面部に配置され、疎水性を有し、所定の液圧未満の前記灌漑用液体を前記流路内に流入させない、点滴灌漑用ドリッパ。
【請求項２】
前記流入部は、基板部と、前記基板部を貫通する複数の流入口と、を有し、
前記基板部は、前記第２の平面部に含まれる表面および前記流路に面する裏面を有し、
少なくとも前記表面は、疎水性を有する、請求項１に記載の点滴灌漑用ドリッパ。
【請求項３】
前記流入口の内周面は、疎水性を有する、請求項２に記載の点滴灌漑用ドリッパ。
【請求項４】
前記流入部は、疎水性材料で構成されている、請求項２または３に記載の点滴灌漑用ドリッパ。
【請求項５】
前記流入部は、疎水性コートが施されている、請求項２または３に記載の点滴灌漑用ドリッパ。
【請求項６】
前記流入部は、前記疎水性を有する面に凹凸形状を有する、請求項４または５に記載の点滴灌漑用ドリッパ。
【請求項７】
前記流路における前記流入部よりも下流側に配置され、前記流通管内の前記灌漑用液体の液圧に応じて変形することによって、前記流路の断面の大きさを制御するダイヤフラム部をさらに有する、請求項１〜６のいずれか１項に記載の点滴灌漑用ドリッパ。
【請求項８】
前記第２の平面部に開口し、前記流路と外部を連通する開口部をさらに有し、
前記減圧流路部は、前記流通管の内周面との間で前記減圧流路を構成する、前記第１の平面部から凹む溝を含み、
前記ダイヤフラム部は、前記開口部に、前記外部に部分的に露出するとともに、前記減圧流路を構成する前記流通管の内周面に向けて変形するように配置され、
前記流入部、前記減圧流路部および前記ダイヤフラム部は、樹脂材料で一体的に形成されている、請求項７に記載の点滴灌漑用ドリッパ。
【請求項９】
灌漑用液体を流通させる長尺な流通管の内周面上であって前記流通管の管壁を貫通する前記灌漑用液体の吐出口に対応する位置に配置された状態で、前記流通管内の前記灌漑用液体を前記吐出口まで流通させる流路を含み、前記吐出口からの前記灌漑用液体の吐出量を制御するための点滴灌漑用ドリッパであって、
前記流通管内の前記灌漑用液体を前記流路内に流入させる流入部と、
前記流路における前記流入部よりも下流側に配置され、前記流入部から流入した前記灌漑用液体を前記吐出口側に向けて減圧させつつ流通させる減圧流路を、前記流通管の内周面との間で構成するための減圧流路部と、
前記流路上における前記流入部よりも下流側に、前記流通管内に部分的に露出し、前記流通管内の前記灌漑用液体の液圧に晒されて、前記流通管の内周面に向けて変形するように配置されるダイヤフラム部と、
前記流通管の内周面に接合される第１の平面部と、
前記第１の平面部よりも前記流通管の中心軸側に配置される第２の平面部と、を有し、
前記流入部は、前記第２の平面部に配置され、
前記ダイヤフラム部は、前記液圧に応じて前記流通管の内周面に向けて変形することによって、前記流路の高さを、前記液圧が大きいほど前記流路の高さが低くなるように規制し、
前記流入部、前記減圧流路部および前記ダイヤフラム部は、樹脂材料で一体的に形成されている、点滴灌漑用ドリッパ。
【請求項１０】
前記ダイヤフラム部は、前記流路における前記減圧流路部と前記吐出口との間に配置されている、請求項９に記載の点滴灌漑用ドリッパ。
【請求項１１】
前記ダイヤフラム部は、前記減圧流路を構成する前記流通管の内周面から離れる方向に向かって突出するように湾曲する薄肉の中央壁部と、前記中央壁部の外周縁に接続されて前記中央壁部を包囲し、前記方向に漸次拡大する形状を有する薄肉の周辺壁部と、を有する、請求項９または１０に記載の点滴灌漑用ドリッパ。
【請求項１２】
前記第２の平面部に開口し、前記流路と外部を連通する開口部をさらに有し、
前記ダイヤフラム部は、前記開口部内に配置され、前記外部に部分的に露出する、請求項１１に記載の点滴灌漑用ドリッパ。
【請求項１３】
管壁を貫通する吐出口を有し、灌漑用液体を流通させる長尺な流通管と、
前記流通管の内周面上であって前記吐出口に対応する位置に配置され、前記吐出口からの前記灌漑用液体の吐出量を制御するための請求項１〜１２のいずれか１項に記載の点滴灌漑用ドリッパと、を有する、点滴灌漑装置。
【発明の詳細な説明】
【技術分野】
【０００１】
本発明は、点滴灌漑用ドリッパおよびこれを備えた点滴灌漑装置に係り、特に、植物の育成に好適な点滴灌漑用ドリッパおよびこれを備えた点滴灌漑装置に関する。
【背景技術】
【０００２】
従来、農地や植え込み等の土壌に育成される植物に対して水や液肥等の灌漑用液体を供給する手段として、点滴灌漑システムが用いられている。【０００３】
この点滴灌漑システムは、例えば、水源から水を汲み上げるポンプの下流側に、濾過器、液肥混入装置（必要に応じて化学薬品添加装置）、逆流防止装置、主配管等を順次接続した上で、流路末端に長尺な点滴灌水チューブを接続することによって構成される。また、点滴灌水チューブは、植物が育成される土壌の上に敷設される。【０００４】
ここで、点滴灌水チューブは、長尺なチューブ本体に長手方向に沿って所定の間隔ごとに穿設された複数の吐出口から、チューブ本体内の灌漑用液体を単位時間あたり所定の吐出量（換言すれば、吐出速度）で吐出する。これにより、点滴灌水チューブの外部の土壌に灌漑用液体をゆっくりと供給（すなわち、点滴灌漑）する。【０００５】
このような点滴灌水チューブによれば、水や肥料を節約することができる。また、緩やかな供給速度での給水を行うことによって、植物の根に必要な酸素を土壌中に確保することができる。その結果、植物の育成状態を良好に管理することができる。【０００６】
このような点滴灌水チューブには、各吐出口からの単位時間あたりの灌漑用液体の吐出量を制御するための点滴灌漑用ドリッパが、各吐出口に内蔵されている。【０００７】
この点滴灌漑用ドリッパは、チューブ本体内を流通する灌漑用液体を、流入口を通して点滴灌漑用ドリッパの内部に流入させ、ラビリンスと称される点滴灌漑用ドリッパの内部の減圧流路を流通させて減圧し、減圧流路の下流側に連通された吐出口から吐出するように構成されている。【０００８】
また、点滴灌漑用ドリッパの中には、いわゆる差圧制御機構（圧力補正機能）が搭載されたものがある。この種の点滴灌漑用ドリッパは、例えば、特許文献１に記載の点滴灌漑用ドリッパ（エミッターユニット）のように、ダイヤフラムのような弾性を有する膜（例えば、シリコーンゴム膜）を、流入側の部材と吐出側の部材とで挟み込む３体構造で構成される。【０００９】
ここで、特許文献１に記載の点滴灌漑用ドリッパは、点滴灌漑用ドリッパの外部のチューブ本体内の液圧に応じたダイヤフラム（膜）の動作によって、点滴灌漑用ドリッパの入口の開閉および点滴灌漑用ドリッパの出口からの流水量の制御を行うように構成されている。【００１０】
具体的には、特許文献１に記載の点滴灌漑用ドリッパでは、点滴灌漑用ドリッパの外部の前記液圧がある程度高くなると、前記入口を遮蔽するように配置されている前記ダイヤフラムが前記液圧によって前記出口側に向かって撓む。その結果、前記入口が開放される。そして、前記液圧が更に高い場合には、前記ダイヤフラムの前記出口側への撓み量が増加し、これにともなって、前記出口における流路断面の大きさが減少する。その結果、流出量が規制される。【００１１】
前記点滴灌漑用ドリッパは、特許文献１の段落０００４に記載されているように、点滴灌漑用ドリッパ（エミッター）からの灌漑用液体の排出速度が点滴灌漑用ドリッパへ供給される灌漑用液体の圧力の変動に実質的に無関係であるように設計されている。【００１２】
したがって、前記点滴灌漑用ドリッパは、チューブ本体内の上流側（高圧側）に設置された点滴灌漑用ドリッパと下流側（低圧側）に設置された点滴灌漑用ドリッパとの間で灌漑用液体の吐出量のばらつきを抑え、それにより、土壌全体での植物の育成状態の均一化を図るのに好適とされていた。
【先行技術文献】
【特許文献】
【００１３】
【特許文献１】特開２０１０−４６０９４号公報
【発明の概要】
【発明が解決しようとする課題】
【００１４】
しかしながら、特許文献１に記載の点滴灌漑用ドリッパは、前記ダイヤフラムを弾性変形させて前記入口を開放させるために、ある程度高い前記液圧を要する。このため、高圧ポンプを用いて比較的高い液圧で使用する場合には、本来の機能を問題なく発揮できるであろう。しかしながら、低い液圧で使用する場合には、前記ダイヤフラムを適切に弾性変形させることができず、本来の機能を十分に発揮できないことが懸念される。【００１５】
さらに、特許文献１に記載の点滴灌漑用ドリッパには、次の４つの問題点がある。【００１６】
（第１の問題点）
特許文献１に記載の点滴灌漑用ドリッパは、より多くの部品点数を要する構成上、当該点滴灌漑用ドリッパのサイズの大型化（特に、高さ方向への大型化）を余儀なくされる。そして、このような点滴灌漑用ドリッパをチューブ本体内に配置する場合には、チューブ本体内の流路断面に対する点滴灌漑用ドリッパの面積占有率は自ずと大きくなる。【００１７】
これにより、チューブ本体内を流れる灌漑用液体について、上流側の点滴灌漑用ドリッパは、下流側の点滴灌漑用ドリッパに対して、流路上に横たわる大きな障害物となる。このため、前記点滴灌漑用ドリッパは、灌漑用液体の流通の妨げとなってしまい、チューブ本体内における圧力損失が大きくなってしまう。【００１８】
したがって、特許文献１に記載の点滴灌漑用ドリッパを、高圧ポンプを用いない限り、十分に長い点滴灌水チューブを利用した長距離灌水に用いることは困難である。また、当該長距離灌水に用いた場合でも、灌漑用液体の吐出量が不安定であるといった問題がある。【００１９】
（第２の問題点）
また、特許文献１に記載の点滴灌漑用ドリッパは、前述した３部品の組み立てに誤差が生じる場合もある。この場合には、ダイヤフラム（膜）の作動にばらつきが発生し、この結果、灌漑用液体の吐出量が不安定になってしまうといった問題がある。【００２０】
（第３の問題点）
さらに、特許文献１に記載の点滴灌漑用ドリッパは、ダイヤフラムにシリコーンゴムを用いる場合に材料コストが上昇してしまうといった問題がある。【００２１】
（第４の問題点）
さらにまた、特許文献１に記載の点滴灌漑用ドリッパは、３部品を個々に製造した後に、更に、これらを組み立てるといった製造工数を要するため、製造コストが上昇してしまうといった問題がある。【００２２】
そこで、本発明は、上記の点に鑑みなされたものである。本発明は、流通管内の灌漑用液体の液圧が低圧の場合においても点滴灌漑を適切に行うことができる点滴灌漑用ドリッパおよびこれを備えた点滴灌漑装置を提供することを第一の目的とする。【００２３】
また、本発明は、灌漑用液体の液圧が低圧の場合においても長距離灌漑を適切に行うことができ、また、灌漑用液体の吐出量を安定化することができ、さらに、製造原価、部品点数および製造工数を削減することによるコストの低廉化を実現することができる点滴灌漑用ドリッパおよびこれを備えた点滴灌漑装置を提供することを第二の目的とする。
【課題を解決するための手段】
【００２４】
前述した第一の目的を達成するため、本発明は、以下の点滴灌漑用ドリッパを提供する。【００２５】
［１］灌漑用液体を流通させる長尺な流通管の内周面上であって前記流通管の管壁を貫通する前記灌漑用液体の吐出口に対応する位置に配置された状態で、前記流通管内の前記灌漑用液体を前記吐出口まで流通させる流路を含み、前記吐出口からの前記灌漑用液体の吐出量を制御するための点滴灌漑用ドリッパであって、前記流通管内の前記灌漑用液体を前記流路内に流入させる流入部と、前記流路における前記流入部よりも下流側に配置され、前記流入部から流入した前記灌漑用液体を前記吐出口側に向けて減圧させつつ流通させる減圧流路を構成するための減圧流路部と、前記流通管の内周面に接合される第１の平面部と、前記第１の平面部よりも前記流通管の中心軸側に配置される第２の平面部と、を有し、前記流入部は、前記第２の平面部に配置され、疎水性を有し、所定の液圧未満の前記灌漑用液体を前記流路内に流入させない、点滴灌漑用ドリッパ。【００２６】
［２］前記流入部は、基板部と、前記基板部を貫通する複数の流入口と、を有し、前記基板部は、前記第２の平面部に含まれる表面および前記流路に面する裏面を有し、少なくとも前記表面は、疎水性を有する、［１］に記載の点滴灌漑用ドリッパ。【００２７】
［３］前記流入口の内周面は、疎水性を有する、［２］に記載の点滴灌漑用ドリッパ。【００２８】
［４］前記流入部は、疎水性材料で構成されている、［２］または［３］に記載の点滴灌漑用ドリッパ。【００２９】
［５］前記流入部は、疎水性コートが施されている、［２］または［３］に記載の点滴灌漑用ドリッパ。【００３０】
［６］前記流入部は、前記疎水性を有する面に凹凸形状を有する、［４］または［５］に記載の点滴灌漑用ドリッパ。【００３１】
［７］前記流路における前記流入部よりも下流側に配置され、前記流通管内の前記灌漑用液体の液圧に応じて変形することによって、前記流路の断面の大きさを制御するダイヤフラム部をさらに有する、［１］〜［６］のいずれか１項に記載の点滴灌漑用ドリッパ。【００３２】
［８］前記第２の平面部に開口し、前記流路と外部を連通する開口部をさらに有し、前記減圧流路部は、前記流通管の内周面との間で前記減圧流路を構成する、前記第１の平面部から凹む溝を含み、前記ダイヤフラム部は、前記開口部に、前記外部に部分的に露出するとともに、前記減圧流路を構成する前記流通管の内周面に向けて変形するように配置され、前記流入部、前記減圧流路部および前記ダイヤフラム部は、樹脂材料で一体的に形成されている、［７］に記載の点滴灌漑用ドリッパ。【００３３】
また、前述した第二の目的を達成するため、本発明は、以下の点滴灌漑用ドリッパを提供する。【００３４】
［９］灌漑用液体を流通させる長尺な流通管の内周面上であって前記流通管の管壁を貫通する前記灌漑用液体の吐出口に対応する位置に配置された状態で、前記流通管内の前記灌漑用液体を前記吐出口まで流通させる流路を含み、前記吐出口からの前記灌漑用液体の吐出量を制御するための点滴灌漑用ドリッパであって、前記流通管内の前記灌漑用液体を前記流路内に流入させる流入部と、前記流路における前記流入部よりも下流側に配置され、前記流入部から流入した前記灌漑用液体を前記吐出口側に向けて減圧させつつ流通させる減圧流路を、前記流通管の内周面との間で構成するための減圧流路部と、前記流路上における前記流入部よりも下流側に、前記流通管内に部分的に露出し、前記流通管内の前記灌漑用液体の液圧に晒されて、前記流通管の内周面に向けて変形するように配置されるダイヤフラム部と、前記流通管の内周面に接合される第１の平面部と、前記第１の平面部よりも前記流通管の中心軸側に配置される第２の平面部と、を有し、前記流入部は、前記第２の平面部に配置され、前記ダイヤフラム部は、前記液圧に応じて前記流通管の内周面に向けて変形することによって、前記流路の高さを、前記液圧が大きいほど前記流路の高さが低くなるように規制し、前記流入部、前記減圧流路部および前記ダイヤフラム部は、樹脂材料で一体的に形成されている、点滴灌漑用ドリッパ。【００３５】
［１０］前記ダイヤフラム部は、前記流路における前記減圧流路部と前記吐出口との間に配置されている、［９］に記載の点滴灌漑用ドリッパ。【００３６】
［１１］前記ダイヤフラム部は、前記減圧流路を構成する前記流通管の内周面から離れる方向に向かって突出するように湾曲する薄肉の中央壁部と、前記中央壁部の外周縁に接続されて前記中央壁部を包囲し、前記方向に漸次拡大する形状を有する薄肉の周辺壁部と、を有する、［９］または［１０］に記載の点滴灌漑用ドリッパ。【００３７】
［１２］前記第２の平面部に開口し、前記流路と外部を連通する開口部をさらに有し、前記ダイヤフラム部は、前記開口部内に配置され、前記外部に部分的に露出する、［１１］に記載の点滴灌漑用ドリッパ。【００３８】
また、前述した第一の目的または第二の目的を達成するため、本発明は、以下の点滴灌漑装置を提供する。【００３９】
［１３］管壁を貫通する吐出口を有し、灌漑用液体を流通させる長尺な流通管と、前記流通管の内周面上であって前記吐出口に対応する位置に配置され、前記吐出口からの前記灌漑用液体の吐出量を制御するための［１］〜［１２］のいずれか１項に記載の点滴灌漑用ドリッパと、を有する、点滴灌漑装置。
【発明の効果】
【００４０】
本発明によれば、流通管内の灌漑用液体の液圧が低圧の場合においても点滴灌漑を適切に行うことができる。【００４１】
すなわち、［１］に係る発明によれば、点滴灌漑用ドリッパ本体の流路内に流入する灌漑用液体の液圧の下限を、流入部の疎水性によって従来よりも低く制御することができる。このため、流通管内（換言すれば、点滴灌漑用ドリッパ本体の流路外）の灌漑用液体の液圧が低い場合においても、その灌漑用液体を点滴灌漑に適切に使用することができる。【００４２】
［２］に係る発明によれば、流入部のうち、点滴灌漑用ドリッパ本体の流路外の灌漑用液体に晒される部位が疎水性を有する。このため、点滴灌漑用ドリッパ本体の流路内への灌漑用液体の流入を適切に規制することができる。【００４３】
［３］に係る発明によれば、流入口における毛細管現象を確実に抑制して、灌漑用液体の流入をさらに適切に規制することができる。【００４４】
［４］に係る発明によれば、流入部の疎水性を少ない部品点数によって実現することができる。【００４５】
［５］に係る発明によれば、流入部の疎水性が流入部の材質に依存しないため、流入部の材料の選択の自由度を向上させることができる。【００４６】
［６］に係る発明によれば、点滴灌漑用ドリッパ本体の流路内に流入する灌漑用液体の液圧の下限を若干高めに調整することもできる。このため、点滴灌漑用ドリッパの低圧下での使用における前記液圧の選択の自由度を向上させることができる。【００４７】
［７］に係る発明によれば、高圧下で点滴灌漑用ドリッパを使用する場合においても、点滴灌漑用ドリッパ内の流路内の、吐出口に向かう灌漑用液体の流量をダイヤフラム部によって規制することができる。このため、高圧下で点滴灌漑用ドリッパを使用する場合においても、灌漑用液体の吐出量を適切に制御することができる。【００４８】
［８］に係る発明によれば、吐出量の制御に優れた点滴灌漑用ドリッパを、樹脂材料を用いた一体的な成形によって、小型、安価かつ少工数で精度良く製造することができる。このため、水源側から流通管内に供給される灌漑用液体の液圧が低い場合においても、長距離灌水を適切に行うことができる。また、灌漑用液体の吐出量を安定化することができる。さらに、製造原価、部品点数および製造工数を削減することによるコストの低廉化を実現することができる。【００４９】
また、本発明によれば、灌漑用液体の液圧が低圧の場合においても長距離灌水を適切に行うことができ、また、灌漑用液体の吐出量を安定化することができ、さらに、製造原価、部品点数および製造工数を削減することによる製造コストの低廉化を実現することができる。【００５０】
すなわち、［９］に係る発明によれば、点滴灌漑用ドリッパが板状に形成される。このため、減圧流路による減圧とダイヤフラム部による流路の高さ規制とを行うことができ、かつ吐出量の制御に優れた点滴灌漑用ドリッパを、樹脂材料を用いた一体的な成形によって、小型、安価かつ少工数で精度よく製造することができる。したがって、灌漑用液体の液圧（換言すれば、流圧）が低い場合においても長距離灌水を適切に行うことができる。また、灌漑用液体の吐出量を安定化することができる。さらに、製造原価、部品点数および製造工数を削減することによるコストの低廉化を実現することができる。【００５１】
［１０］に係る発明によれば、減圧流路部の下流側に配置されたダイヤフラム部が、減圧流路による減圧後の流路内の灌漑用液体と、ダイヤフラム部が晒されている流路外の灌漑用液体との圧力差を利用して、前記流路の高さの規制を適切かつ効率的に行うことができる。また、ダイヤフラム部が吐出口の直上から水平方向に離れて配置される。よって、吐出口から植物の根、細かい石や粒あるいは虫などが侵入した場合においても、ダイヤフラム部の動作に与える影響を防止することができる。【００５２】
［１１］に係る発明によれば、ダイヤフラム部を、前記流路外の灌漑用液体の液圧を効率的に受けて流通管の内周面に向けて変形するのに好適な形状に形成することができる。このため、前記流路の高さをさらに適切に規制することができる。【００５３】
［１２］に係る発明によれば、ダイヤフラム部を、前記流路外の灌漑用液体の液圧を適切に受けることができる状態で、流通管の内周面に近い位置に容易に配置することができる。このため、流路の高さの規制に要するダイヤフラム部の変形量を抑えることができ、その結果、薄肉のダイヤフラム部の耐久性が確保され、点滴灌漑用ドリッパの寿命をより長くすることができる。【００５４】
［１３］に係る発明によれば、流通管内の灌漑用液体の液圧が低い場合においても、点滴灌漑を適切に行うことができる。または、［１３］に係る発明によれば、灌漑用液体の液圧が低い場合においても長距離灌水を適切に行うことができ、また、灌漑用液体の吐出量を安定化することができ、さらに、製造コストの低廉化を実現することができる。
【図面の簡単な説明】
【００５５】
【図１】図１は、本発明に係る一実施形態の点滴灌漑用ドリッパの、上面側からの斜視図である。
【図２】図２は、図１に示す点滴灌漑用ドリッパの、下面側からの斜視図である。
【図３】図３は、図１に示す点滴灌漑用ドリッパの平面図である。
【図４】図４は、図１に示す点滴灌漑用ドリッパを図３中のＡ−Ａ線で切断した断面を示す図である。
【図５】図５は、図１に示す点滴灌漑用ドリッパの下面図である。
【図６】図６は、本発明に係る一実施形態の点滴灌漑装置の断面を概略的に示す図である。
【図７】図７は、低圧停止フィルタ部（図４のＢ枠部）の断面を拡大して示す図である。
【図８】図８は、低圧停止フィルタ部の第１の変形例の断面を拡大して示す図である。
【図９】図９は、低圧停止フィルタ部の第２の変形例の断面を拡大して示す図である。
【図１０】図１０は、低圧停止フィルタ部の動作の一例を模式的に示す図である。
【図１１】図１１は、ダイヤフラム部（図４のＤ枠部）の断面を拡大して示す図である。
【図１２】図１２は、ダイヤフラム部の動作の一例を模式的に示す図である。
【発明を実施するための形態】
【００５６】
以下、本発明に係る点滴灌漑用ドリッパおよびこれを備えた点滴灌漑装置の実施形態について、図１〜図１２を参照して説明する。
【００５７】
図１は、本実施形態における点滴灌漑用ドリッパ１を、その上面側から見たときの点滴灌漑用ドリッパ１の斜視図である。また、図２は、点滴灌漑用ドリッパ１を、その下面側から見たときの点滴灌漑用ドリッパ１の斜視図である。さらに、図３は、点滴灌漑用ドリッパ１の平面図である。さらにまた、図４は、図３のＡ−Ａ線で点滴灌漑用ドリッパ１を切断したときの切断面を示す図である。また、図５は、点滴灌漑用ドリッパ１の下面図である。さらに、図６は、本実施形態における点滴灌漑装置としての点滴灌水チューブ２の断面を概略的に示す図である。
【００５８】
図６に示すように、点滴灌水チューブ２は、灌漑用液体を流通させる流通管としての長尺な略円筒形状のチューブ本体３と、このチューブ本体３に内蔵された点滴灌漑用ドリッパ１とによって構成されている。
【００５９】
また、図６に示すように、点滴灌漑用ドリッパ１は、チューブ本体３の内周面３ａ上であって、この内周面３ａとチューブ本体３の外周面３ｂとを貫通する（すなわち管壁を貫通する）灌漑用液体のための吐出口４に対応する位置に、この吐出口４を覆うように配置されている。そして、点滴灌漑用ドリッパ１は、対応する吐出口４からの単位時間あたりの灌漑用液体の吐出量を制御するように構成されている。
【００６０】
なお、図６には、便宜上、点滴灌漑用ドリッパ１および吐出口４が１つずつ示されているが、実際は、複数の点滴灌漑用ドリッパ１および吐出口４が、チューブ本体３の長手方向に沿って所定の間隔ごとに配置されている。
【００６１】
また、図６においては、チューブ本体３内の流路における紙面に対して左側が上流（水源）側であり、右側が下流側である。
【００６２】
さらに、本実施形態においては、点滴灌漑用ドリッパ１が、金型を用いた樹脂成形によって一体的に形成されている。樹脂成形に用いる樹脂材料の例には、ポリプロピレンなどの安価な材料が含まれる。また、成形法の例には、射出成形が含まれる。
【００６３】
さらにまた、図１〜図６に示すように、点滴灌漑用ドリッパ（点滴灌漑用ドリッパ本体）１は、外観が略直方体形状の板状に形成されている。
【００６４】
すなわち、図１〜図６に示すように、点滴灌漑用ドリッパ１は、第１の平面部としての下端面１ａ、第２の平面部としての上面１ｂ、左側面１ｃ、右側面１ｄ、前側面１ｅおよび後側面１ｆの各平面によって大まかに囲まれた外形を有する。なお、各面についての前後左右の位置関係については、図３の十字矢印を参照のこと。図１〜図６に示すように、上面１ｂと下端面１ａ、左右の側面１ｃ、１ｄおよび前後の側面１ｅ、１ｆは、互いに平行である。また、上面１ｂおよび下端面１ａと前後左右の側面１ｃ〜１ｆとは、互いに垂直である。さらに、上面１ｂおよび下端面１ａは、左右に長尺に形成されている。
【００６５】
点滴灌漑用ドリッパ１は、下端面１ａを介してチューブ本体３の内周面３ａに接合されている。上面１ｂは、下端面１ａの反対側、すなわち下端面１ａよりもチューブ本体３の中心軸側、に配置される。前記接合は、チューブ本体３を点滴灌漑用ドリッパ１よりも低融点の樹脂材料（例えば、ポリエチレン等）を用いた押し出し成形によって形成する場合には、硬化前のチューブ本体３の内周面３ａ上に、既製の点滴灌漑用ドリッパ１を配置して、チューブ本体３の硬化と同時に完了させられてもよい。
【００６６】
＜流入部の具体的構成＞
図３および図４に示すように、点滴灌漑用ドリッパ１は、上面１ｂにおける左端部近傍位置に、チューブ本体３内の灌漑用液体を点滴灌漑用ドリッパ１の流路内に流入させる流入部としての低圧停止フィルタ部５を有している。
【００６７】
図７に示すように、低圧停止フィルタ部５は、水平なフィルタ基板部５１と、表面５１ａと裏面５１ｂとを垂直に貫通、すなわちフィルタ基板部５１を貫通、する円形の細孔である複数の流入口５２とによって構成されている。フィルタ基板部５１は、上面１ｂと同一平面上の表面５１ａおよびこれと反対側の裏面５１ｂを有する。表面５１ａは、上面１ｂに含まれ、裏面５１ｂは後述する空洞部７に面する。各流入口５２内の空間は、点滴灌漑用ドリッパ１の流路の始端を構成している。
【００６８】
ここで、図３〜図７に示すように、各流入口５２は、前後（図３、図５における上下）に等間隔に整列し、当該列の複数が左右に等間隔に並列している。このように、流入口５２は、格子状に配置されている。
【００６９】
また、図３、図４および図７に示すように、フィルタ基板部５１の表面５１ａを含めた上面１ｂ上には、上方に向けて垂直に突出し、前後に長尺な複数の板状の凸部６が、上面１ｂの長手方向（左右）に等間隔で整列されている。複数の凸部６は、点滴灌漑用ドリッパ１の流路内への比較的大きな異物の流入を防止するフィルタとして機能する。
【００７０】
＜低圧停止フィルタ＞
低圧停止フィルタ部５は、所定の圧力（「液圧」とも言う。例えば、０．００５ＭＰａ）未満の灌漑用液体を点滴灌漑用ドリッパ１の流路内に流入させない機能（低圧停止フィルタ機能）を有する。
【００７１】
低圧停止フィルタ機能を具現化する手段は、何通りか考えられる。
【００７２】
たとえば、点滴灌漑用ドリッパ１の材料が前述したポリプロピレンである場合には、ポリプロピレン自体が、低い表面エネルギを有する高疎水性素材（すなわち疎水性材料）である。このため、低圧停止フィルタ部５の全面に低圧停止フィルタ機能を簡単に付与することができる。
【００７３】
この他にも、例えば、図８に示すように、フィルタ基板部５１の表面５１ａおよび必要に応じて流入口５２の内周面５２ａに、フッ素コート剤によるフッ素コートなどの疎水性コートＣを施して表面エネルギを低減させる。それにより、低圧停止フィルタ部５に局所的に低圧停止フィルタ機能を付与することができる。
【００７４】
また、前記疎水性材料の場合および前記疎水性コートの場合のいずれの場合においても、必要に応じて、疎水性を有する面に凹凸形状を形成することによって疎水性を強化してもよい。「疎水性を有する面」とは、例えば、疎水性材料で構成されている表面や、疎水性コートの表面である。前記凹凸形状は、図９に示すように、流入口５２の上部開口縁に形成されたバリ５２ｂであってもよいし、金型に形成された凹凸形状を反映して形成された凹凸形状であってもよい。
【００７５】
さらに、前述の手段に加えて、流入口５２の内径、ピッチ、個数、開口形状、肉厚などを調節することによって、低圧停止フィルタ機能の最適化を図ることも可能である。
【００７６】
低圧停止フィルタ部５は、チューブ本体３内の灌漑用液体の液圧が所定の圧力（破壊水圧）に高まった場合に、灌漑用液体を、流入口５２を通して点滴灌漑用ドリッパ１の流路内に流入させる。ここで、所定の圧力は、点滴灌漑用ドリッパ１を低圧下での使用において良好に機能させる観点からは、先に例示した０．００５ＭＰａ程度の十分に低い圧力を選択することが望ましい。ただし、所定の圧力は、低圧停止フィルタ部５の疎水性の程度によって決まる。したがって、低圧停止フィルタ部５に疎水性を付与するにあたっては、実験結果などに基づいて、設定すべき所定の圧力との関係から必要な疎水性の発生要素（前述した低圧停止フィルタ部５の材料、疎水性コートの種類および膜厚、疎水性を有する面の面形状など）を選択してもよい。
【００７７】
図１０は、低圧停止フィルタ部５の動作の一具体例を示す。
【００７８】
まず、点滴灌漑用ドリッパ１の流路外の液圧が０ＭＰａ、すなわち点滴灌水チューブ２内に灌漑用液体が存在しない場合には、図１０Ａに示すように、低圧停止フィルタ部５による灌漑用液体の流入規制は当然行われない。
【００７９】
次に、点滴灌漑用ドリッパ１の流路外の液圧が０．００５ＭＰａ（前述した破壊水圧）未満の場合には、図１０Ｂに示すように、低圧停止フィルタ部５の疎水性に基づく低圧停止フィルタ機能が働く。このため、チューブ本体３内の灌漑用液体１００が、フィルタ基板部５１の表面５１ａおよび流入口５２の上端の開口において堰き止められる。こうして、点滴灌漑用ドリッパ１の流路内への灌漑用液体１００の流入が規制（防止）される。
【００８０】
次に、点滴灌漑用ドリッパ１の流路外の液圧が０．００５ＭＰａ以上の場合には、図１０Ｃに示すように、流路外の液圧が低圧停止フィルタ部５の疎水性に打ち勝つ。こうして、点滴灌漑用ドリッパ１の流路外の灌漑用液体１００が流入口５２から点滴灌漑用ドリッパ１の流路内に流入する。
【００８１】
あるいは、前記破壊水圧は、０．０１ＭＰａであってもよい。前記所定の圧力は、点滴灌漑用ドリッパ１を低圧下での長距離灌水において良好に機能させる観点からは、徒に大きくしない方が望ましく、先に例示した０．０１ＭＰａ程度で十分である。
【００８２】
＜空洞部＞
図４、図６および図７示すように、フィルタ基板部５１の裏面５１ｂは、下端面１ａよりも上方に配置されている。このため、下端面１ａ上（下端面１ａと上面１ｂとの間）には、下端面１ａとフィルタ基板部５１の裏面５１ｂとの高低差が形成する空洞部７が形成されている。
【００８３】
空洞部７は、各流入口５２の下流端で各流入口５２と連結している。空洞部７と空洞部７の下端の開口を塞ぐチューブ本体３の内周面３ａとによって囲まれた空間は、点滴灌漑用ドリッパ１の流路の一部を構成している。すなわち、流入口５２から流入した灌漑用液体は、流入直後に空洞部７とチューブ本体３の内周面３ａとの間の空間（流路）を流通する。
【００８４】
＜減圧流路部の具体的構成＞
また、図６に示すように、低圧停止フィルタ部５に対して点滴灌漑用ドリッパ１の流路上における下流側には、点滴灌漑用ドリッパ１の流路の一部である減圧流路８を構成するための減圧流路部９が配置されている。
【００８５】
図２、図５および図６に示すように、減圧流路部９は、下端面１ａ上に低圧停止フィルタ部５側（左側）から吐出口４側（右側）に向かって形成された、左右方向に蛇行する蛇行形状（換言すれば、ストリームライン形状）の長溝からなる。当該長溝は、下端面１ａから凹む凹み（凹条）で構成されている。
【００８６】
減圧流路８は、減圧流路部９と、減圧流路部９（長溝）の蛇行形状の開口９ａを遮蔽するチューブ本体３の内周面３ａとによって囲まれた空間によって構成されている。
【００８７】
図５および図６に示すように、減圧流路部９の上流端は、空洞部７の右内側面７ａの中央部に接続している。このように、減圧流路８は、空洞部７に、空洞部７の下流側で連結している。
【００８８】
減圧流路８には、低圧停止フィルタ部５から流入した灌漑用液体が、空洞部７内の流路を通過した後に、減圧流路８の上流端から流入する。
【００８９】
そして、減圧流路８は、流入した灌漑用液体を、吐出口４側（下流端側）に向けて流通させる。減圧流路８が蛇行形状を有するため、減圧流路８を流れる灌漑用液体の圧力損失が大きくなる。このため、灌漑用液体を効率的に減圧させながら流通させることができる。
【００９０】
＜ダイヤフラム部の具体的構成＞
図４〜図６に示すように、減圧流路部９の下流端には、ダイヤフラム部１０が配置されている。
【００９１】
ダイヤフラム部１０は、チューブ本体３の内周面３ａに対して図４および図６における上方（チューブ本体３の中心軸側）から臨むように、すなわち内周面３ａに向けて変形するように、配置されている。また、ダイヤフラム部１０は、内周面３ａと反対側（チューブ本体３の中心軸側）からの、点滴灌漑用ドリッパ１の流路外の灌漑用液体による液圧に晒されるように、点滴灌漑用ドリッパ１の流路外に向けて部分的に露出している。「部分的に露出」とは、ダイヤフラム部１０の一部が点滴灌漑用ドリッパ１の外部と連通していることを言う。
【００９２】
また、図６に示すように、ダイヤフラム部１０は、吐出口４に上方から臨む位置（吐出口４の直上）に対して、前記流路の上流側（左側）にずれた位置に配置されている。たとえば、ダイヤフラム部１０は、前記流路における減圧流路部９と吐出口４との間に配置されている。
【００９３】
さらに、図４〜図６および図１１に示すように、ダイヤフラム部１０は、薄肉のドーム形状の中央壁部１０ａと、中央壁部１０ａの外側に周設された薄肉の周辺壁部１０ｂとによって構成されている。中央壁部１０ａの形状は、平面図および下面図において円形状である。また、図４および図６に示すように、中央壁部１０ａの形状は、縦断面図において、チューブ本体３の内周面３ａと反対側（同図の上方、あるいは、内周面３ａから離れる方向）に向かって突出するアーチ状（湾曲形状）である。より具体的には、中央壁部１０ａの外周端部は、上面１ｂおよび下端面１ａに平行な同一平面上に配置されており、また、中央壁部１０ａの中心は、チューブ本体３の内周面３ａと反対側に最も大きく突出している。一方、周辺壁部１０ｂの形状は、平面図および下面図において円環形状である。また、周辺壁部１０ｂは、図４〜図６に示すように、周辺壁部１０ｂは、中央壁部１０ａを包囲するようにして中央壁部１０ａの外周端に接続されている。そして、周辺壁部１０ｂは、中央壁部１０ａから外側に向かうにしたがって、チューブ本体３の内周面３ａと反対側に向かって傾斜するテーパ筒形状に形成されている。すなわち、周辺壁部１０ｂは、中央壁部１０ａを包囲し、かつ内周面３ａから離れる方向へ漸次拡大する形状を有する。なお、中央壁部１０ａおよび周辺壁部１０ｂの肉厚は、ともに０．１ｍｍであってもよい。
【００９４】
さらにまた、図３、図４および図６に示すように、上面１ｂ上におけるダイヤフラム部１０に対応する直上位置には、円筒形状の内周面を有する開口部１２が、上面１ｂからダイヤフラム部１０の上面に亘って凹設されている。開口部１２は、上面１ｂに開口し、外部と前記通路とを連通する。ダイヤフラム部１０は、周辺壁部１０ｂの先端縁が開口部１２の周壁に密着することによって固定されている。上記の連通は、ダイヤフラム部１０によって遮断されている。
【００９５】
そして、ダイヤフラム部１０は、開口部１２を以て、点滴灌漑用ドリッパ１の流路外に向けて部分的に（ダイヤフラム部１０の上面だけ）露出されている。
【００９６】
また、ダイヤフラム部１０は、開口部１２の厚み（換言すれば、深さ）を以て、上面１ｂよりもチューブ本体３の内周面３ａ側（下側）に凹入された位置に配置されている。
【００９７】
そして、ダイヤフラム部１０は、開口部１２に流入した点滴灌漑用ドリッパ１の流路外の灌漑用液体の液圧に応じて、チューブ本体３の内周面３ａ側へ変形する。それによって、ダイヤフラム部１０の配置位置における点滴灌漑用ドリッパ１の流路の高さ（換言すれば、断面の大きさ）を、当該液圧が大きいほど低く（小さく）なるように規制する。
【００９８】
＜その他の構成＞
さらにまた、図６に示すように、ダイヤフラム部１０の下流側には、下端面１ａに対して上方に凹入された空間からなる流出口１４が配置されており、流出口１４の直下には、吐出口４が配置されている。
【００９９】
流出口１４は、ダイヤフラム部１０による流路の高さ（断面積）規制によって流量が制限された灌漑用液体を、吐出口４に導く流路として機能する。灌漑用液体は、吐出口４から点滴灌水チューブ２の外部に吐出される。
【０１００】
また、図５に示すように、流出口１４の凹入底面におけるダイヤフラム部１０の近傍位置には、複数の防御突起１７が配置されている。防御突起１７は、吐出口４から侵入した植物の根、細かい石や砂あるいは虫など（以下、異物と称する）が減圧流路８側に更に侵入することを防止するように構成されている。
【０１０１】
さらに、図５に示すように、減圧流路部９の前後（減圧流路８の延出方向における両側）には、防御溝１５が配置されている。防御溝１５は、流出口１４から侵入した異物を減圧流路８の前後に逃がすことによって、減圧流路８内への異物の更なる侵入を防止するように構成されている。
【０１０２】
＜本実施形態の作用効果＞
本実施形態においては、所定の液圧に達したチューブ本体３内の灌漑用液体のみが、低圧停止フィルタ部５の流入口５２を通って点滴灌漑用ドリッパ１の流路内に流入する。そして、当該灌漑用液体は、空洞部７を通過した後に、減圧流路８の流路形状による圧力損失によって減圧される。
【０１０３】
そして、減圧流路８による減圧後の灌漑用液体は、ダイヤフラム部１０を通過する。このとき、ダイヤフラム部１０は、開口部１２に流入した点滴灌漑用ドリッパ１の流路外の灌漑用液体による液圧によって、チューブ本体３の内周面３ａ側に変形されている。このため、当該変形の量に応じた分だけ、流路の高さが減少する。こうして流路の高さが規制されている。
【０１０４】
したがって、ダイヤフラム部１０を通過して吐出口４側に一度に向かう灌漑用液体の流量は、ダイヤフラム部１０による流路の高さ規制の影響によって規制される。
【０１０５】
ここで、相対的に上流側および下流側に配置されている２つの点滴灌漑用ドリッパ１について考える。
【０１０６】
まず、相対的に上流側の点滴灌漑用ドリッパ１は、流路外の灌漑用液体の液圧が相対的に高い。よって、点滴灌漑用ドリッパ１の流路内への灌漑用液体の流入量が相対的に多くなる。同時に、ダイヤフラム部１０の変形量が相対的に大きくなり、ダイヤフラム部１０による規制流量も相対的に多くなる。このため、吐出口４からの灌漑用液体の吐出量が過多となることはない。
【０１０７】
一方、相対的に下流側の点滴灌漑用ドリッパ１は、流路外の灌漑用液体の液圧が相対的に低い。よって、点滴灌漑用ドリッパ１の流路内への灌漑用液体の流入量が相対的に少なくなる。同時に、ダイヤフラム部１０の変形量が相対的に小さくなり、ダイヤフラム部１０による規制流量も相対的に少なくなる。このため、吐出口４からの灌漑用液体の吐出量が過少となることはない。
【０１０８】
このようにして、上流側および下流側の吐出口４間における灌漑用液体の吐出量のばらつきが少なくなる（５〜１０％に抑える）ように、吐出口４からの灌漑用液体の吐出量が好適に制御される。
【０１０９】
次に、本実施の形態におけるダイヤフラム部１０の動作を説明する。図１２は、ダイヤフラム部１０の動作の一具体例を示す。当該例では、ダイヤフラム部１０の破壊水圧は、０．０１ＭＰａとする。
【０１１０】
図１２の具体例においては、まず、液圧が０ＭＰａ、すなわち点滴灌水チューブ２内に灌漑用液体が存在しない場合には、図１２Ａに示すように、ダイヤフラム部１０による流路の高さ規制は当然行われない。この場合における流路の高さは、例えば０．２５ｍｍとなっている。なお、図１２Ａに示すように、流路の高さは、ダイヤフラム部１０の下端部である中央壁部１０ａと周辺壁部１０ｂとの接続点と、チューブ本体３の内周面３ａとの最短距離として定義されている。
【０１１１】
次に、液圧が０．０１ＭＰａ（前述した破壊水圧）以上かつ０．０５ＭＰａ未満の場合には、図１２Ｂに示すように、ダイヤフラム部１０が、流路外の灌漑用液体１００の液圧によって下方に変形する。このため、中央壁部１０ａと周辺壁部１０ｂとの接続点が降下し、これにより、流路の高さが０．１５ｍｍに規制される。
【０１１２】
次に、液圧が０．０５ＭＰａ以上かつ０．１ＭＰａ以下の場合には、図１２Ｃに示すように、ダイヤフラム部１０が、図１２Ｂの場合よりも更に下方に変形する。このため中央壁部１０ａと周辺壁部１０ｂとの接続点が更に降下し、これにより、流路の高さが０．１ｍｍに規制される。
【０１１３】
本実施形態によれば、点滴灌漑用ドリッパ１の流路内に流入する灌漑用液体の液圧の下限を、低圧停止フィルタ部５の疎水性によって、従来の場合（すなわち、ダイヤフラムの弾性によって機械的に制御する場合）よりも低圧に制御することができる。このため、点滴灌漑用ドリッパ１の流路外の灌漑用液体の液圧が低い場合においても、灌漑用液体を点滴灌漑に適切に使用することができる。
【０１１４】
また、少なくとも低圧停止フィルタ部５のフィルタ基板部５１の表面５１ａが疎水性を有することによって、低圧停止フィルタ部５における点滴灌漑用ドリッパ１の流路外の灌漑用液体に晒される部位が疎水性を有する。このため、点滴灌漑用ドリッパ１の流路内への灌漑用液体の流入を適切に制御することができる。
【０１１５】
さらに、流入口５２の内周面５２ａが疎水性を有すれば、流入口５２における毛細管現象を確実に抑制して、灌漑用液体の流入をさらに適切に制御することができる。
【０１１６】
さらにまた、低圧停止フィルタ部５を疎水性材料によって構成すれば、低圧停止フィルタ部５の疎水性を少ない部品点数によって実現することができる。
【０１１７】
また、低圧停止フィルタ部５の疎水性を疎水性コートによって実現すれば、低圧停止フィルタ部５の材質に関わらず、低圧停止フィルタ部５の疎水性が得られる。このため、低圧停止フィルタ部５の材料の選択の自由度を向上させることができる。
【０１１８】
さらに、低圧停止フィルタ部５の疎水性を有する面に凹凸形状を形成すれば、点滴灌漑用ドリッパ１の流路内に流入する灌漑用液体の液圧の下限を若干高めに調整することもできる。このため、低圧下での点滴灌漑用ドリッパ１の使用における、流入する灌漑用液体の液圧の選択の自由度を向上させることができる。
【０１１９】
さらにまた、ダイヤフラム部１０を設けることによって、点滴灌漑用ドリッパ１を高圧下で使用する場合においても、灌漑用液体の吐出量を適切に制御することができる。
【０１２０】
また、吐出量の制御に優れた点滴灌漑用ドリッパ１を、樹脂材料を用いた一体的な形成によって、小型、安価かつ少工数で精度良く製造することができる。これにより、点滴灌漑用ドリッパ１のチューブ本体３内における体積占有率を低減することができる。よって、チューブ本体３内において灌漑用液体の過剰な圧力損失の発生を防止することができる。その結果、水源側から点滴灌水チューブ２に供給される灌漑用液体の液圧が低い場合においても、チューブ本体３の下流側に至るまで、低圧停止フィルタ部５を通過できる程度の液圧を確保することができる。よって、長距離灌水を安定した吐出量にて適切に行うことができる。また、一体成形品であるが故に、組み立て誤差に起因するダイヤフラム部１０の動作不良が生じない。このため、灌漑用液体の吐出量を更に安定化させることができる。さらに、ダイヤフラム部１０のためにシリコーンゴムのような高価な材料を要することはなく、基本的に単一の安価な樹脂材料を用いることができる。よって、製造原価を削減することができる。また、特許文献１のような３部品を組み立てる場合に比べて、部品点数および製造工数も確実に削減することができるので、製造コストの低廉化を実現することができる。
【０１２１】
さらに、減圧流路部９の下流側に配置されたダイヤフラム部１０は、減圧流路８による減圧後の流路内の灌漑用液体と、ダイヤフラム部１０が晒されている流路外の灌漑用液体との圧力差を利用して、流路の高さ規制を適切かつ効率的に規制することができる。つまり、減圧された流路内の灌漑用液体の液圧は、十分に低いため、流路内の灌漑用液体の液圧が、相対的に高い圧力の流路外の灌漑用液体によるダイヤフラム部１０の変形動作の妨げにならない。
【０１２２】
さらにまた、ダイヤフラム部１０が吐出口４の直上から、前記流路の流れ方向に沿って離れて配置されていることによって、吐出口４から異物が侵入した場合においても、ダイヤフラム部１０の動作に与える影響を防止することができる。
【０１２３】
また、ダイヤフラム部１０は、中央壁部１０ａが上方から液圧を受けることによって、樹脂材料の素材の弾性を利用して、上方への湾曲を解消するように撓んで径方向の外方に拡開する。同時に、周辺壁部１０ｂは、開口部１２との接点（円環状の接続部）を回動軸として下方に回動する。このため、流路の高さを規定する中央壁部１０ａと周辺壁部１０ｂとの接点を、下方にスムーズに変位させることができる。このように、ダイヤフラム部１０は、流路外の灌漑用液体の液圧を効率的に受けてチューブ本体３の内周面３ａ側（下方）に変形するのに好適な形状に形成されている。よって、流路の高さをさらに適切に規制することができる。
【０１２４】
さらに、ダイヤフラム部１０を、流路外の灌漑用液体の液圧を適切に受けることができる状態で、チューブ本体３の内周面３ａに近い位置に、設計上、製造上無理なく配置することができる。このため、流路の高さ規制に要するダイヤフラム部１０の変形量を抑えることができる。その結果、薄肉のダイヤフラム部１０の耐久性を確保して製品寿命を長くすることができる。
【０１２５】
さらにまた、複数の点滴灌漑用ドリッパ１が複数の吐出口４にそれぞれ配置された場合、前述したダイヤフラム部１０の作動によって、上流側および下流側の吐出口４間における灌漑用液体の吐出量のばらつきが少なくなる（５〜１０％に抑える）ように、吐出口４からの灌漑用液体の吐出量を好適に制御することができる。このような効果は、前述のように、チューブ本体３内での圧力損失が緩和されるように、ダイヤフラム部１０に係る点滴灌漑用ドリッパ１の構造が工夫されていることから、低液圧の灌漑用液体を用いた長距離灌水を行う場合においても、確実に奏することができる。
【０１２６】
なお、本発明は、前述した実施の形態に限定されるものではなく、本発明の特徴を損なわない限度において種々変更してもよい。たとえば、点滴灌漑用ドリッパ１は、低圧停止フィルタ部５を有し、ダイヤフラム部１０を有しないか、または、他のダイヤフラム部を有していてもよい。この場合、点滴灌漑用ドリッパ１は、前述した効果のうち、少なくとも低圧停止フィルタ部５による効果以外の効果を奏する。また、点滴灌漑用ドリッパ１は、ダイヤフラム部１０を有し、低圧停止フィルタ部５を有さないか、他の流入部を有していてもよい。この場合、点滴灌漑用ドリッパ１は、前述した効果のうち、少なくともダイヤフラム部１０による効果以外の効果を奏する。
【０１２７】
例えば、本発明は、特許文献１に記載の３体構造の点滴灌漑用ドリッパにも有効に適用できるものである。
【０１２８】
本出願は、２０１２年５月２４日出願の特願２０１２−１１８５５１号および特願２０１２−１１８５５２号に基づく優先権を主張する。当該出願明細書および図面に記載された内容は、すべて本願明細書に援用される。
【産業上の利用可能性】
【０１２９】
本発明によれば、滴下すべき灌漑用液体の圧力によって当該灌漑用液体の適切な滴下が可能な点滴灌漑用ドリッパを簡易に提供することが可能である。したがって、点滴灌漑や耐久試験などの、長期の滴下を要する技術分野への前記ドリッパの普及が期待され、そして当該技術分野のさらなる発展が期待される。
【符号の説明】
【０１３０】
１  点滴灌漑用ドリッパ
２  点滴灌水チューブ
３  チューブ本体
３ａ  内周面
４  吐出口
５  低圧停止フィルタ部
８  減圧流路
９  減圧流路部
９ａ  開口
１０  ダイヤフラム部
【図１】
2013175802.tif 000003
【図２】
2013175802.tif 000004
【図３】
2013175802.tif 000005
【図４】
2013175802.tif 000006
【図５】
2013175802.tif 000007
【図６】
2013175802.tif 000008
【図７】
2013175802.tif 000009
【図８】
2013175802.tif 000010
【図９】
2013175802.tif 000011
【図１０】
2013175802.tif 000012
【図１１】
2013175802.tif 000013
【図１２】
2013175802.tif 000014
【国際調査報告】
2013175802.tif 000015
2013175802.tif 000016
2013175802.tif 000017
2013175802.tif 000018